(57)【要約】【課題】送信されてきたファクシミリ原稿を返信もしくは他の宛先に転送するような場合でも、誤送信防止機能を使用できるようにする。【解決手段】Ａさん→Ｂさん→Ｃさん→Ａさんの順番に回覧しようとするファクシミリ原稿には、宛先情報画像として２次元コード８０が付加されている。この２次元コードには、回覧しようとする送信順で４つのファクシミリ番号が符号化されている。画像送受信装置１０〜３０では、自局のファクシミリ番号と、２次元コードを復号することにより得られた送信順リストから、次の送信先のファクシミリ番号が判別され、入力されたファクシミリ番号との一致が確認される。例えば、画像送受信装置１０では、自局のファクシミリ番号（ＸＸＸ−ＸＸＸ−ＸＸＸＸ）と、得られた送信順リストとから次の送信先の宛先情報は「ＹＹＹ−ＹＹＹ−ＹＹＹＹ」であると判定される。【選択図】図８
2007311855.tif 000002
【特許請求の範囲】
【請求項１】
画像データを読み取る画像読み取り手段と、
前記画像読み取り手段により読み取られた画像データ中に含まれている宛先情報画像を検出して複数の宛先情報を抽出する宛先情報抽出手段と、
画像データを送信する送信先を指定する送信先指定手段と、
前記送信先指定手段により指定された送信先の宛先情報が、前記宛先情報抽出手段により抽出された複数の宛先情報のいずれか１つと一致するか否かを判定する判定手段と、
前記判定手段により複数の宛先情報のいずれか１つと一致すると判定された場合、指定された送信先に画像データを送信するよう制御する送信制御手段と、
を有する画像送信装置。
【請求項２】
画像データを読み取る画像読み取り手段と、
前記画像読み取り手段により読み取られた画像データ中に含まれている宛先情報画像を検出して複数の宛先情報を抽出する宛先情報抽出手段と、
画像データを送信する送信先を指定する送信先指定手段と、
前記送信先指定手段により指定された送信先の宛先情報が、前記宛先情報抽出手段により抽出された複数の宛先情報のいずれか１つと一致するか否かを判定する判定手段と、
前記判定手段により複数の宛先情報のいずれとも一致しないと判定された場合、指定された送信先への画像データの送信を禁止するよう制御する送信制御手段と、
を有する画像送信装置。
【請求項３】
画像データを読み取る画像読み取り手段と、
前記画像読み取り手段により読み取られた画像データ中に含まれている宛先情報画像を検出して複数の宛先情報を抽出する宛先情報抽出手段と、
画像データを送信する送信先を指定する送信先指定手段と、
前記送信先指定手段により指定された送信先の宛先情報が、前記宛先情報抽出手段により抽出された複数の宛先情報のいずれか１つと一致するか否かを判定する判定手段と、
前記判定手段により複数の宛先情報のいずれか１つと一致すると判定された場合、指定された送信先に画像データを送信するよう制御する送信制御手段と、
送信されてきた画像データを受信する受信手段と、
前記受信手段により受信された画像データに基づいて画像形成を行う画像形成手段と、
を有する画像送受信装置。
【請求項４】
画像データを読み取る画像読み取り手段と、
前記画像読み取り手段により読み取られた画像データ中に含まれている宛先情報画像を検出して複数の宛先情報を抽出する宛先情報抽出手段と、
画像データを送信する送信先を指定する送信先指定手段と、
前記送信先指定手段により指定された送信先の宛先情報が、前記宛先情報抽出手段により抽出された複数の宛先情報のいずれか１つと一致するか否かを判定する判定手段と、
前記判定手段により複数の宛先情報のいずれとも一致しないと判定された場合、指定された送信先への画像データの送信を禁止するよう制御する送信制御手段と、
送信されてきた画像データを受信する受信手段と、
前記受信手段により受信された画像データに基づいて画像形成を行う画像形成手段と、
を有する画像送受信装置。
【請求項５】
画像データを読み取る画像読み取り手段と、前記画像読み取り手段により読み取られた画像データ中に含まれている宛先情報画像を検出して複数の宛先情報を抽出する宛先情報抽出手段と、画像データを送信する送信先を指定する送信先指定手段と、前記送信先指定手段により指定された送信先の宛先情報が、前記宛先情報抽出手段により抽出された複数の宛先情報のいずれか１つと一致するか否かを判定する判定手段と、前記判定手段により複数の宛先情報のいずれか１つと一致すると判定された場合、指定された送信先に画像データを送信するよう制御する送信制御手段とを有する画像送信装置と、
送信されてきた画像データを受信する受信手段と、前記受信手段により受信された画像データに基づいて画像形成を行う画像形成手段とを有する画像送受信装置と、
を備えた画像送受信システム。
【請求項６】
画像データを読み取る画像読み取り手段と、前記画像読み取り手段により読み取られた画像データ中に含まれている宛先情報画像を検出して複数の宛先情報を抽出する宛先情報抽出手段と、画像データを送信する送信先を指定する送信先指定手段と、前記送信先指定手段により指定された送信先の宛先情報が、前記宛先情報抽出手段により抽出された複数の宛先情報のいずれか１つと一致するか否かを判定する判定手段と、前記判定手段により複数の宛先情報のいずれとも一致しないと判定された場合、指定された送信先への画像データの送信を禁止するよう制御する送信制御手段とを有する画像送信装置と、
送信されてきた画像データを受信する受信手段と、前記受信手段により受信された画像データに基づいて画像形成を行う画像形成手段とを有する画像送受信装置と、
を備えた画像送受信システム。
【請求項７】
画像データを読み取る画像読み取り手段と、
送信しようとする画像データ中に含まれている宛先情報画像を検出して複数の宛先情報を抽出する宛先情報抽出手段と、
画像データを送信する送信先を指定する送信先指定手段と、
前記宛先情報抽出手段により抽出された複数の宛先情報を送信順に並べ替えて送信順リストを生成する送信順リスト生成手段と、
前記送信順リスト生成手段により生成された送信順リストと、自局の宛先情報とから次の送信先の宛先情報を判別する送信先判別手段と、
前記送信先指定手段により指定された送信先の宛先情報が、前記送信先判別手段により判別された送信先の宛先情報と一致するか否かを判定する判定手段と、
前記送信先判別手段により判別された送信先の宛先情報と一致すると前記判定手段により判定された場合、指定された送信先に画像データを送信するよう制御する送信制御手段と、
を有する画像送信装置。
【請求項８】
画像データを読み取る画像読み取り手段と、
送信しようとする画像データ中に含まれている宛先情報画像を検出して複数の宛先情報を抽出する宛先情報抽出手段と、
画像データを送信する送信先を指定する送信先指定手段と、
前記宛先情報抽出手段により抽出された複数の宛先情報を送信順に並べ替えて送信順リストを生成する送信順リスト生成手段と、
前記送信順リスト生成手段により生成された送信順リストと、自局の宛先情報とから次の送信先の宛先情報を判別する送信先判別手段と、
前記送信先指定手段により指定された送信先の宛先情報が、前記送信先判別手段により判別された送信先の宛先情報と一致するか否かを判定する判定手段と、
前記送信先判別手段により判別された送信先の宛先情報と一致しないと前記判定手段により判定された場合、指定された送信先への画像データの送信を禁止するよう制御する送信制御手段と、
を有する画像送信装置。
【請求項９】
前記送信順リスト生成手段は、前記宛先情報画像中に含まれる送信順情報を用いて、前記宛先情報抽出手段により抽出された複数の宛先情報を送信順に並べ替える請求項７または８記載の画像送信装置。
【請求項１０】
前記宛先情報画像中に含まれている複数の宛先情報が送信順に並べられていて、
前記送信順リスト生成手段は、前記宛先情報抽出手段により抽出された順番を、複数の宛先情報の送信順とする請求項７または８記載の画像送信装置。
【請求項１１】
前記送信先判別手段は、前記送信順リスト生成手段により生成された送信順リストにおける、自局の宛先情報の次の送信順の宛先情報を次の送信先の宛先情報と判別する請求項７または８記載の画像送信装置。
【請求項１２】
画像データを読み取る画像読み取り手段と、
送信しようとする画像データ中に含まれている宛先情報画像を検出して複数の宛先情報を抽出する宛先情報抽出手段と、
画像データを送信する送信先を指定する送信先指定手段と、
前記宛先情報抽出手段により抽出された複数の宛先情報を送信順に並べ替えて送信順リストを生成する送信順リスト生成手段と、
前記送信順リスト生成手段により生成された送信順リストと、自局の宛先情報とから次の送信先の宛先情報を判別する送信先判別手段と、
前記送信先指定手段により指定された送信先の宛先情報が、前記送信先判別手段により判別された送信先の宛先情報と一致するか否かを判定する判定手段と、
前記送信先判別手段により判別された送信先の宛先情報と一致すると前記判定手段により判定された場合、指定された送信先に画像データを送信するよう制御する送信制御手段と、
送信されてきた画像データを受信する受信手段と、
前記受信手段により受信された画像データに基づいて画像形成を行う画像形成手段と、
を有する画像送受信装置。
【請求項１３】
画像データを読み取る画像読み取り手段と、
送信しようとする画像データ中に含まれている宛先情報画像を検出して複数の宛先情報を抽出する宛先情報抽出手段と、
画像データを送信する送信先を指定する送信先指定手段と、
前記宛先情報抽出手段により抽出された複数の宛先情報を送信順に並べ替えて送信順リストを生成する送信順リスト生成手段と、
前記送信順リスト生成手段により生成された送信順リストと、自局の宛先情報とから次の送信先の宛先情報を判別する送信先判別手段と、
前記送信先指定手段により指定された送信先の宛先情報が、前記送信先判別手段により判別された送信先の宛先情報と一致するか否かを判定する判定手段と、
前記送信先判別手段により判別された送信先の宛先情報と一致しないと前記判定手段により判定された場合、指定された送信先への画像データの送信を禁止するよう制御する送信制御手段と、
送信されてきた画像データを受信する受信手段と、
前記受信手段により受信された画像データに基づいて画像形成を行う画像形成手段と、
を有する画像送受信装置。
【請求項１４】
画像データを読み取る画像読み取り手段と、送信しようとする画像データ中に含まれている宛先情報画像を検出して複数の宛先情報を抽出する宛先情報抽出手段と、画像データを送信する送信先を指定する送信先指定手段と、前記宛先情報抽出手段により抽出された複数の宛先情報を送信順に並べ替えて送信順リストを生成する送信順リスト生成手段と、前記送信順リスト生成手段により生成された送信順リストと、自局の宛先情報とから次の送信先の宛先情報を判別する送信先判別手段と、前記送信先指定手段により指定された送信先の宛先情報が、前記送信先判別手段により判別された送信先の宛先情報と一致するか否かを判定する判定手段と、前記送信先判別手段により判別された送信先の宛先情報と一致すると前記判定手段により判定された場合、指定された送信先に画像データを送信するよう制御する送信制御手段とを有する画像送信装置と、
送信されてきた画像データを受信する受信手段と、前記受信手段により受信された画像データに基づいて画像形成を行う画像形成手段とを有する画像送受信装置と、
を備えた画像送受信システム。
【請求項１５】
画像データを読み取る画像読み取り手段と、送信しようとする画像データ中に含まれている宛先情報画像を検出して複数の宛先情報を抽出する宛先情報抽出手段と、画像データを送信する送信先を指定する送信先指定手段と、前記宛先情報抽出手段により抽出された複数の宛先情報を送信順に並べ替えて送信順リストを生成する送信順リスト生成手段と、前記送信順リスト生成手段により生成された送信順リストと、自局の宛先情報とから次の送信先の宛先情報を判別する送信先判別手段と、前記送信先指定手段により指定された送信先の宛先情報が、前記送信先判別手段により判別された送信先の宛先情報と一致するか否かを判定する判定手段と、前記送信先判別手段により判別された送信先の宛先情報と一致しないと前記判定手段により判定された場合、指定された送信先への画像データの送信を禁止するよう制御する送信制御手段とを有する画像送信装置と、
送信されてきた画像データを受信する受信手段と、前記受信手段により受信された画像データに基づいて画像形成を行う画像形成手段とを有する画像送受信装置と、
を備えた画像送受信システム。
【発明の詳細な説明】
【技術分野】
【０００１】
本発明は、画像データを送信するための画像送信装置、画像データを送受信するためのファクシミリ装置等の画像送受信装置および画像送受信システムに関する。
【背景技術】
【０００２】
遠隔地に画像データを送信するためにファクシミリ装置等の画像送受信装置が用いられている。このような画像送受信装置では、宛先番号を間違えて入力すると誤送信が発生して情報漏洩等の問題が発生する。そのため、原稿画像の誤送信を防止するための機能を備えたファクシミリ装置が提案されている（例えば、特許文献１参照。）。
【０００３】
この特許文献１に開示されたファクシミリ装置では、原稿から抽出した宛先番号と入力された番号が一致するか否かを判定して、送信の可否判断を行うようになっている。
【０００４】
しかし、この特許文献１に開示された従来例においては、宛先番号を原稿から抽出するためにパターン認識を行って「ＦＡＸ番号」等の特定の符号列を検出する必要がある。このような、パターン認識は、処理に時間がかかるとともに誤認識の問題も発生する。
【０００５】
近年、各種の通信販売、アンケート等において、注文用紙等のフォーム原稿をファクシミリ装置により送信し、このフォーム原稿を受信した者が送られてきたフォーム原稿に記入して返信するよう利用がなされている。また、画像送受信装置を用いて書類を複数箇所に回覧するような場合もある。
【０００６】
しかし、上述したような従来のファクシミリ装置では、送信されてきた用紙に書き込みを行ってそのまま返信するような場合や、送信されてきた原稿を他の宛先に転送するような場合には、誤送信機能が動作することにより送信エラーになってしまうため、誤送信防止機能を使用することができないという問題が発生する。
【０００７】
【特許文献１】特開平８−１９５８６９号公報
【発明の開示】
【発明が解決しようとする課題】
【０００８】
上述した従来の画像送受信装置では、送信されてきた用紙をそのまま返信する場合もしくは他の宛先に転送するような場合には、誤送信防止機能を使用することができないという問題点があった。
【０００９】
本発明の目的は、送信されてきた用紙をそのまま返信もしくは他の宛先に転送するような場合でも、誤送信防止機能を使用することができる画像送受信装置を提供することである。
【課題を解決するための手段】
【００１０】
［画像送信装置］
上記目的を達成するために、本発明の画像送信装置は、画像データを読み取る画像読み取り手段と、
前記画像読み取り手段により読み取られた画像データ中に含まれている宛先情報画像を検出して複数の宛先情報を抽出する宛先情報抽出手段と、
画像データを送信する送信先を指定する送信先指定手段と、
前記送信先指定手段により指定された送信先の宛先情報が、前記宛先情報抽出手段により抽出された複数の宛先情報のいずれか１つと一致するか否かを判定する判定手段と、
前記判定手段により複数の宛先情報のいずれか１つと一致すると判定された場合、指定された送信先に画像データを送信するよう制御する送信制御手段とを有する。
【００１１】
本発明によれば、送信しようとする画像データ中の宛先情報画像には複数の宛先情報が含まれていて、指定された送信先の宛先情報が複数の宛先情報のいずれか１つと一致すると判定手段により判定された場合には、送信制御手段は指定された送信先に画像データを送信する。従って、自局の宛先情報や転送先の宛先情報を複数の宛先情報に含めるようにしておけば、送信されてきた用紙をそのまま返信もしくは他の宛先に転送するような場合でも、誤送信防止機能を使用することができる。
【００１２】
また、本発明の画像送信装置は、画像データを読み取る画像読み取り手段と、
送信しようとする画像データ中に含まれている宛先情報画像を検出して複数の宛先情報を抽出する宛先情報抽出手段と、
画像データを送信する送信先を指定する送信先指定手段と
前記宛先情報抽出手段により抽出された複数の宛先情報を送信順に並べ替えて送信順リストを生成する送信順リスト生成手段と、
前記送信順リスト生成手段により生成された送信順リストと、自局の宛先情報とから次の送信先の宛先情報を判別する送信先判別手段と、
前記送信先指定手段により指定された送信先の宛先情報が、前記送信先判別手段により判別された送信先の宛先情報と一致するか否かを判定する判定手段と、
前記送信先判別手段により判別された送信先の宛先情報と一致すると前記判定手段により判定された場合、指定された送信先に画像データを送信するよう制御する送信制御手段とを有する。
【００１３】
本発明によれば、送信しようとする画像データ中の宛先情報画像には複数の宛先情報が含まれていて、この複数の宛先情報を送信順に並べた送信順リストと自局の宛先情報とを用いて次の送信先の宛先情報を判別するようにしている。従って、予め転送しようとする送信順で宛先情報を宛先情報画像に含めるようにしておけば、送信されてきた用紙をそのまま返信もしくは他の宛先に転送するような場合でも、誤送信防止機能を使用することができる。
【００１４】
好ましくは、前記送信順リスト生成手段は、前記宛先情報画像中に含まれる送信順情報を用いて、前記宛先情報抽出手段により抽出された複数の宛先情報を送信順に並べ替える。
【００１５】
好ましくは、前記宛先情報画像中に含まれている複数の宛先情報が送信順に並べられていて、
前記送信順リスト生成手段は、前記宛先情報抽出手段により抽出された順番を、複数の宛先情報の送信順とする。
【００１６】
好ましくは、前記送信先判別手段は、前記送信順リスト生成手段により生成された送信順リストにおける、自局の宛先情報の次の送信順の宛先情報を次の送信先の宛先情報と判別する。
【００１７】
［画像送受信装置］
また、本発明の画像送受信装置は、画像データを読み取る画像読み取り手段と、
前記画像読み取り手段により読み取られた画像データ中に含まれている宛先情報画像を検出して複数の宛先情報を抽出する宛先情報抽出手段と、
画像データを送信する送信先を指定する送信先指定手段と、
前記送信先指定手段により指定された送信先の宛先情報が、前記宛先情報抽出手段により抽出された複数の宛先情報のいずれか１つと一致するか否かを判定する判定手段と、
前記判定手段により複数の宛先情報のいずれか１つと一致すると判定された場合、指定された送信先に画像データを送信するよう制御する送信制御手段と、
送信されてきた画像データを受信する受信手段と、
前記受信手段により受信された画像データに基づいて画像形成を行う画像形成手段とを有する。
【００１８】
また、本発明の画像送受信装置は、画像データを読み取る画像読み取り手段と、
送信しようとする画像データ中に含まれている宛先情報画像を検出して複数の宛先情報を抽出する宛先情報抽出手段と、
画像データを送信する送信先を指定する送信先指定手段と、
前記宛先情報抽出手段により抽出された複数の宛先情報を送信順に並べ替えて送信順リストを生成する送信順リスト生成手段と、
前記送信順リスト生成手段により生成された送信順リストと、自局の宛先情報とから次の送信先の宛先情報を判別する送信先判別手段と、
前記送信先指定手段により指定された送信先の宛先情報が、前記送信先判別手段により判別された送信先の宛先情報と一致するか否かを判定する判定手段と、
前記送信先判別手段により判別された送信先の宛先情報と一致すると前記判定手段により判定された場合、指定された送信先に画像データを送信するよう制御する送信制御手段と、
送信されてきた画像データを受信する受信手段と、
前記受信手段により受信された画像データに基づいて画像形成を行う画像形成手段とを有する。
【００１９】
［画像送受信システム］
また、本発明の画像送受信システムは、画像データを読み取る画像読み取り手段と、前記画像読み取り手段により読み取られた画像データ中に含まれている宛先情報画像を検出して複数の宛先情報を抽出する宛先情報抽出手段と、画像データを送信する送信先を指定する送信先指定手段と、前記送信先指定手段により指定された送信先の宛先情報が、前記宛先情報抽出手段により抽出された複数の宛先情報のいずれか１つと一致するか否かを判定する判定手段と、前記判定手段により複数の宛先情報のいずれか１つと一致すると判定された場合、指定された送信先に画像データを送信するよう制御する送信制御手段とを有する画像送信装置と、
送信されてきた画像データを受信する受信手段と、前記受信手段により受信された画像データに基づいて画像形成を行う画像形成手段とを有する画像送受信装置とを備えている。
【００２０】
また、本発明の画像送受信装置は、画像データを読み取る画像読み取り手段と、送信しようとする画像データ中に含まれている宛先情報画像を検出して複数の宛先情報を抽出する宛先情報抽出手段と、画像データを送信する送信先を指定する送信先指定手段と、前記宛先情報抽出手段により抽出された複数の宛先情報を送信順に並べ替えて送信順リストを生成する送信順リスト生成手段と、前記送信順リスト生成手段により生成された送信順リストと、自局の宛先情報とから次の送信先の宛先情報を判別する送信先判別手段と、前記送信先指定手段により指定された送信先の宛先情報が、前記送信先判別手段により判別された送信先の宛先情報と一致するか否かを判定する判定手段と、前記送信先判別手段により判別された送信先の宛先情報と一致すると前記判定手段により判定された場合、指定された送信先に画像データを送信するよう制御する送信制御手段とを有する画像送信装置と、
送信されてきた画像データを受信する受信手段と、前記受信手段により受信された画像データに基づいて画像形成を行う画像形成手段とを有する画像送受信装置とを備えている。
【発明の効果】
【００２１】
以上説明したように、本発明によれば、宛先情報画像中に複数の宛先情報を含めるようにしているため、送信されてきた用紙をそのまま返信もしくは他の宛先に転送するような場合でも、誤送信防止機能を使用することができるという効果を得ることができる。
【発明を実施するための最良の形態】
【００２２】
[背景]
まず、本発明の理解を助けるために、その背景及び概略を説明する。
【００２３】
上述したように、ファクシミリ送信の際の誤送信を防止するため、原稿から宛先番号を抽出して、入力された番号と一致するか否かを判定して、送信の可否判断を行うような画像送受信装置が提案されている。
【００２４】
ここでは、ファクシミリ送信の際の誤送信を防止するため、送信しようとする原稿に予め送信先の宛先情報を符号化して付加するようにした画像送受信システムを用いて説明する。
【００２５】
ファクシミリ原稿に付加された宛先情報に基づいて誤送信防止を行う画像送受信システムの動作を図１を参照して説明する。
【００２６】
この図１の画像送受信システムでは、Ａさんの画像送受信装置２０１からＢさんの画像送受信装置２０２に対してファクシミリ送信が行われ、Ｂさんの画像送信装置２０２からさらにＣさんの画像送信装置に対してファクシミリ送信を行おうとした場合が示されている。
【００２７】
先ず、ＡさんがＢさんに対してある原稿を送信しようとする場合、宛先情報としてＢさんのファクシミリ番号が付加された原稿を用いる。この図１では、Ａさんが送信しようとする原稿には、Ｂさんのファクシミリ番号が符号化された２次元コード９０が宛先情報として付加されている場合を用いて説明している。
【００２８】
このようにファクシミリ原稿に宛先情報が符号化されて付加されている一例を図２に示す。図２に示した例では、２次元コード７０の一例としてＱＲコード（登録商標）が示されている。
【００２９】
この図１に示されたシステムでは、Ａさんの画像送受信装置２０１において、入力されたファクシミリ番号と２次元コード９０を復号することにより得られた宛先情報とが一致する場合にのみＢさんの画像送受信装置２０に対する送信が実行される。そのため、ＡさんがＢさんのファクシミリ番号を誤入力したとしても誤送信が防止される。
【００３０】
しかし、このようなシステムによれば、Ａさんからのファクシミリ原稿を受信したＢさんがＣさんに対して受信したファクシミリ原稿を転送しようとした場合に下記のような不具合が発生する。
【００３１】
図１に示す例では、Ａさんの画像送受信装置２０１からＢさんの画像送受信装置２０２に対して送信されたファクシミリ原稿には、Ｂさんのファクシミリ番号がコード化された２次元コード９０が付加されている。そのため、このファクシミリ原稿を受信したＢさんが、受信したファクシミリ原稿をＣさんの画像送受信装置に転送しようとしても、入力されたＣさんのファクシミリ番号と２次元コード９０から取得されたＢさんのファクシミリ番号は一致しないことになる。その結果、画像送受信装置２０２においてエラーが発生してしまいＣさんに対してファクシミリ原稿を送信することができない。
【００３２】
上記で説明したような理由により、このような画像送受信システムでは、送信されてきたファクシミリ原稿を返信する場合もしくは他の宛先に転送するような場合には、誤送信防止機能を使用することができない。
【００３３】
[実施形態]
次に、本発明の実施の形態について図面を参照して詳細に説明する。
図３は本発明の一実施形態の画像送受信装置１０〜３０を含む画像送受信システムを示す図である。
【００３４】
この画像送受信システムは、図３に示されるように、画像送受信装置１０〜３０から構成されている。また、画像送受信装置１０〜３０は、それぞれ、公衆回線網、インターネット網等の通信回線網６０により接続されている。
【００３５】
画像送受信装置１０〜３０は、スキャナ等の画像読み取り装置により読み取ったファクシミリ原稿の画像データを通信回線網６０を介して他の画像送受信装置に送信するファクシミリ（ＦＡＸ）機能を有している。
【００３６】
次に、本実施形態の画像送受信装置１０のハードウェア構成を図４に示す。画像送受信装置２０、３０の構成は、画像送受信装置１０の構成と同様であるため、その説明は省略する。
【００３７】
画像送受信装置１０は、図４に示されるように、ＣＰＵ１８、メモリ１９、ハードディスクドライブ（ＨＤＤ）等の記憶装置２２、外部のコンピュータなどとデータの送信及び受信を行う通信インタフェース（ＩＦ）２４、タッチパネル又は液晶ディスプレイ並びにキーボードを含むユーザインタフェース（ＵＩ）装置２６、スキャナ２８、印刷装置２９を有する。これらの構成要素は、制御バス１６を介して互いに接続されている。
【００３８】
ＣＰＵ１８は、メモリ１９または記憶装置２２に格納された画像送受信プログラムに基づいて所定の処理を実行して、画像送受信装置１０の動作を制御する。
【００３９】
図５は、上記の画像送受信プログラムが実行されることにより実現される画像送受信装置１０の機能構成を示すブロック図である。
本実施形態の画像送受信装置１０は、図５に示されるように、画像読み取り手段３１と、画像処理手段３２と、宛先情報抽出手段３３と、送信順リスト生成手段３４と、送信先判別手段３５と、ユーザインタフェース（ＵＩ）装置３６と、判定手段３７と、ページメモリ３８と、データ圧縮手段３９と、送信制御手段４０とを有している。
【００４０】
画像読み取り手段３１は、送信しようとするファクシミリ原稿の画像データを読み取る。画像処理手段３２は、画像読み取り手段３１により読み取られた画像データに対して、フィルタ処理／２値化処理等の画像処理を行う。ページメモリ３８は、画像処理手段３２により画像処理された後の画像データを、送信先装置に送信するための画像データとして格納する。
【００４１】
ユーザインタフェース（ＵＩ）装置３６は、画像データを送信する送信先のファクシミリ番号等の宛先情報を指定する送信先指定手段として機能する。
【００４２】
本実施形態の画像送受信システムにおいて用いられるファクシミリ原稿には、複数のファクシミリ番号（宛先情報）が符号化されて含まれている宛先情報画像として付加されている。なお、本実施形態においては、符号化された宛先情報画像としてＱＲコード（登録商標）等の２次元コードを用いた場合について説明する。
【００４３】
宛先情報抽出手段３３は、画像処理手段３２により画像処理された後の画像データ中に含まれている宛先情報画像を検出して復号することにより複数のファクシミリ番号を抽出する。
【００４４】
送信順リスト生成手段３４は、宛先情報抽出手段３３により抽出された複数のファクシミリ番号を送信順に並べ替えることにより送信順リストを作成する。
【００４５】
このようにして生成された送信順リストの一例を図６に示す。
この図６に示す例では、送信順リストとして４つのファクシミリ番号が送信順に並べられた構成となっている。この図６の例は、Ａさん→Ｂさん→Ｃ→Ａさんの順番でファクシミリ原稿を転送していく場合に用いられる送信順リストの一例である。
【００４６】
なお、送信順リストの最後の宛先情報の次の送信順を先頭の宛先情報であると予め規定しておけば、図６に示した送信順リストにおける最後の宛先情報「ＸＸＸ−ＸＸＸ−ＸＸＸＸ(Ａさんのファクシミリ番号)」は不要である。
【００４７】
上記では送信順リスト生成手段３４は、複数の宛先情報を送信順に並べ替えるものとして説明したが、符号化された宛先情報画像内において、複数の宛先情報を予め送信順に並べるようにしてもよいし、宛先情報と送信順情報とをそれぞれ別に含めるようにしてもよい。
【００４８】
符号化された宛先情報画像内において複数の宛先情報が予め送信順に並べられている場合には、送信順リスト生成手段３４は、宛先情報抽出手段３３により抽出された複数の宛先情報を送信順に並べ替える必要はない。
この場合には、送信順リスト生成手段３４は、宛先情報抽出手段３３により抽出された順番を複数の宛先情報の送信順とすればよい。
【００４９】
また、宛先情報画像中に送信順情報が含まれている場合には、送信順リスト生成手段３４は、この送信順情報を用いて、宛先情報抽出手段３３により抽出された複数の宛先情報を送信順に並び替える。
【００５０】
送信先判別手段３５は、送信順リスト生成手段３４により生成された送信順リストと、自局のファクシミリ番号とから次の送信先の宛先情報を判別する。
【００５１】
具体的には、自局のファクシミリ番号が送信順リストのＮ番目である場合、送信先判別手段３５は、送信順リストのＮ＋１番目のファクシミリ番号を送信先の宛先情報であると判別する。
【００５２】
つまり、送信先判別手段３５は、送信順リスト生成手段３４により生成された送信順リストにおける、自局のファクシミリ番号の次の送信順のファクシミリ番号を次の送信先の宛先情報であると判別する。
【００５３】
判定手段３７は、ＵＩ装置３６から入力された送信先のファクシミリ番号と、送信先判別手段３５により判別された宛先情報とが一致するか否かを判定する。
【００５４】
データ圧縮手段３９は、ページメモリ内３８に格納された画像データを圧縮する処理を行う。
送信制御手段４０は、判定手段３７における判定結果に基づいて、データ圧縮手段３９により圧縮された後のデータを指定された送信先装置に送信する。具体的には、送信制御手段４０は、判定手段３７における判定結果が不一致の場合には、送信先装置への画像データの送信を禁止し、判定手段３７における判定結果が一致の場合にのみ画像データの送信を実行する。
【００５５】
次に、本実施形態の画像送受信装置１０の動作を図７のフローチャートを参照して詳細に説明する。
先ず、画像送受信装置１０では、ＵＩ装置３６を介して送信先情報、つまり、送信先装置のファクシミリ番号を取得する（Ｓ１０１）。そして、送信指示が行われると、画像読み取り手段３１はセットされたファクシミリ原稿をスキャンすることにより画像データを取得する（Ｓ１０２）。画像読み取り手段３１により読み取られた画像データは、画像処理手段３２において２値化等の必要な画像処理が行われた後にページメモリ３８に格納される。そして、宛先情報抽出手段３３は、画像処理が行われた後の画像データに含まれる宛先情報画像を検出、複号することにより宛先情報を抽出する（Ｓ１０３）。
【００５６】
次に、送信順リスト生成手段３４は、宛先情報抽出手段３３により抽出された複数の宛先情報を送信順に並べ替えることにより送信順リストを生成する（Ｓ１０４）。すると、送信先判別手段３５は、送信順リスト生成手段３４により生成された送信順リストと、自局のファクシミリ番号とから送信先の宛先情報を判別する（Ｓ１０５）。
【００５７】
次に、判定手段３４は、ＵＩ装置３６を介して指定された送信先のファクシミリ番号と、宛先情報抽出部３３により抽出された宛先情報とが一致するか否かを判定する（Ｓ１０６）。このＳ１０６における判定結果が不一致の場合、ＵＩ装置３６により入力された送信先のファクシミリ番号は誤入力であると判定され、エラー処理が行われる（Ｓ１０７）。具体的には、ＵＩ装置３６等を介して利用者に誤入力の可能性がある旨を表示し、送信制御手段４０における送信を停止する。
【００５８】
Ｓ１０６における判定結果が一致の場合、ページメモリ３８内の画像データは、データ圧縮手段３９により圧縮処理が行われた後に（Ｓ１０８）、送信制御手段４０により指定された送信先装置に送信される（Ｓ１０９）。
【００５９】
なお、圧縮手段３９は、Ｓ１０６における判定処理結果に関わらず常に圧縮処理を行っても良い。その場合には、圧縮後のデータをメモリに格納した後、判定結果が一致したときのみ、送信手段４０が指定された送信先装置に圧縮データが送信される。
【００６０】
次に、本実施形態の画像送受信システムの動作を図８を参照して説明する。
この図８に示す例では、Ａさん→Ｂさん→Ｃさん→Ａさんの順番に同一のファクシミリ原稿を回覧する場合が示されている。
【００６１】
そして、この回覧しようとするファクシミリ原稿には、宛先情報画像として２次元コード８０が付加されているものとする。この２次元コードには、図６に示したような送信順番で４つの宛先情報が符号化されているものとする。
【００６２】
先ず、Ａさんの画像送受信装置１０において、この２次元コード８０が付加されたファクシミリ原稿がセットされ、Ｂさんのファクシミリ番号「ＹＹＹ−ＹＹＹ−ＹＹＹＹ」が設定される。画像送受信装置１０では、自局のファクシミリ番号（ＸＸＸ−ＸＸＸ−ＸＸＸＸ）と、図６に示した送信順リストとから次の送信先の宛先情報は「ＹＹＹ−ＹＹＹ−ＹＹＹＹ」であると判定されている。そのため、判定手段３７は、入力された送信先のファクシミリ番号と、次の送信先のファクシミリ番号とが一致すると判定する。そのため、送信制御手段４０は、セットされたファクシミリ原稿をＢさんの画像送受信装置２０に送信する。
【００６３】
次に、Ｂさんの画像送受信装置２０では、２次元コード８０が付加されたファクシミリ原稿が受信される。そして、Ｂさんがこのファクシミリ原稿に回覧済み等のチェックをした後に、画像送受信装置２０にセットして、Ｃさんのファクシミリ番号を設定したものとする。すると、画像送受信装置２０では、設定されたファクシミリ番号と、セットされた原稿に付加されている２次元コード８０から判別した次の送信先のファクシミリ番号とが一致するか否かの判定が行われる。ここでも、設定されたファクシミリ番号と、セットされた原稿に付加されている２次元コード８０から判別した次の送信先のファクシミリ番号とは、Ｃさんのファクシミリ番号「ＺＺＺ−ＺＺＺ−ＺＺＺＺ」で一致する。そのため、画像送受信装置２０は、２次元コード８０が付加されているファクシミリ原稿をＣさんの画像送受信装置３０に送信する。
【００６４】
同様にして、Ｃさんの画像送受信装置３０では、２次元コード８０が付加されたファクシミリ原稿が受信される。そして、Ｃさんがこのファクシミリ原稿に回覧済み等のチェックをした後に、画像送受信装置３０にセットして、Ａさんのファクシミリ番号を設定することにより、設定されたファクシミリ番号と、セットされた原稿に付加されている２次元コード８０から判別した次の送信先のファクシミリ番号とは、Ａさんのファクシミリ番号「ＸＸＸ−ＸＸＸ−ＸＸＸＸ」で一致する。そのため、画像送受信装置３０は、２次元コード８０が付加されているファクシミリ原稿をＡさんの画像送受信装置１０に送信する。
【００６５】
このように、一番最初にＡさんから送信されたファクシミリ原稿は、Ｂさん、Ｃさんと回覧され最後にはＡさんまで転送されてくる。そして、Ａさん、Ｂさん、Ｃさんそれぞれの画像送受信装置１０〜３０のいずれにおいても、入力されたファクシミリ番号が誤っていた場合には送信が実行されないため、誤送信防止機能が有効に機能することになる。
【００６６】
[変形例]
上記実施形態では、全ての画像送受信装置において画像送信機能と画像受信機能とが備えられているものとして説明しているが、画像送信機能のみを備えた画像送信装置または画像受信機能のみを備えた画像受信装置に対しても、本発明は同様に適用することができるものである。この場合には、図５には示されていないが、画像受信装置には、送信されてきた画像データを受信する受信手段と、受信された画像データに基づいて印刷等の画像形成を行う画像形成手段とが少なくとも備えられている。そして、少なくとも１つの画像送信装置と少なくとも１つの画像受信装置とがあれば画像送受信システムを構成することは可能である。
【００６７】
上記実施形態では、宛先情報画像として２次元コードを用いた場合について説明しているが、本発明はこのような場合に限定されるものではなく、バーコード等の１次元コードなど他の情報を宛先情報として用いた場合でも同様に適用することができるものである。
【００６８】
また、上記実施形態では、判定手段３７は、ＵＩ装置３６から入力された送信先のファクシミリ番号と、送信先判別手段３５により判別された宛先情報とが同一であるか否かを判定するものとして説明していた。しかし、判定手段３７は、ＵＩ装置３６から入力された送信先のファクシミリ番号が、宛先情報抽出手段３３により抽出された複数の宛先情報のうちのいずれか１つと一致した場合に送信許可を行うようにしてもよい。この場合、送信制御手段４０は、指定された送信先のファクシミリ番号が複数のファクシミリ番号のいずれか１つ一致すると判定手段３７により判定された場合、指定された送信先に画像データを送信するよう制御し、複数のファクシミリ番号のいずれとも一致しないと判定された場合、指定された送信先への画像データの送信を禁止するよう制御する。
【００６９】
このように、判定手段３７において送信順を考慮することなく送信許可／不許可を判定するようにすれば、予め定められた送信順でなくても、予め設定された複数の送信先のうちのいずれかに送信するような場合において誤送信防止機能を利用することが可能となる。さらに、１つの送信元から複数の宛先に同一のファクシミリ原稿を送信するような同報送信や、複数の送信先を１つのグループとして登録しておくようなグループ送信の場合でも、誤送信防止機能を利用することが可能となる。
【図面の簡単な説明】
【００７０】
【図１】ファクシミリ原稿に付加された宛先情報に基づいて誤送信防止を行う画像送受信システムの動作を説明するための図である。
【図２】宛先情報が符号化された２次元コードが付加されたファクシミリ原稿の一例を示す図である。
【図３】本発明の一実施形態の画像送受信装置１０を含むシステムの構成を示す図である。
【図４】本発明の一実施形態の画像送受信装置１０のハードウェア構成を示すブロック図である。
【図５】本発明の一実施形態の画像送受信装置１０の機能構成を示すブロック図である。
【図６】送信順リストの一例を示す図である。
【図７】本発明の一実施形態の画像送受信装置１０の動作を示すフローチャートである。
【図８】本発明の一実施形態の画像送受信システムの動作を説明するための図である。
【符号の説明】
【００７１】
１０、１０ａ    画像送受信装置
１６    制御バス
１８    ＣＰＵ
１９    メモリ
２０、２０ａ    画像送受信装置
２２    記憶装置
２４    通信インタフェース（ＩＦ）
２６    ユーザインタフェース（ＵＩ）装置
２８    スキャナ
２９    印刷装置
３０    画像送受信装置
３１    画像読み取り手段
３２    画像処理手段
３３    宛先情報抽出手段
３４    送信順リスト生成手段
３５    送信先判別手段
３６    ユーザインタフェース（ＵＩ）装置
３７    判定手段
３８    ページメモリ
３９    データ圧縮手段
４０    送信制御手段
５０    端末装置
６０    通信回線網
７０    ２次元コード
８０    ２次元コード
９０    ２次元コード（Ｂさんのファクシミリ番号）
Ｓ１０１〜Ｓ１０９    ステップ
２０１、２０２    画像送受信装置
【図１】
2007311855.tif 000003
【図２】
2007311855.tif 000004
【図３】
2007311855.tif 000005
【図４】
2007311855.tif 000006
【図５】
2007311855.tif 000007
【図６】
2007311855.tif 000008
【図７】
2007311855.tif 000009
【図８】
2007311855.tif 000010